(57)【要約】【課題】  カーテンレールのキャップが被せられたリターン端部を、壁面に対して任意の角度で固定することができるサポート機構を提供する。【解決手段】  サポート機構は、カーテンレールの壁面へ折れ曲がるリターン端部と、リターン端部に外嵌されるキャップと、壁面に固定されてカーテンレールのキャップを受けるサポートと、リターン端部の端面から一側部が挿入されるナットと、サポートとキャップを下から貫通してナットの他側部にねじ込まれる締結ボルトとからなることを特徴とする。  【選択図】      図３
2006095013.tif 000002
【特許請求の範囲】
【請求項１】
カーテンレールの壁面へ折れ曲がるリターン端部と、前記リターン端部に外嵌されるキャップと、壁面に固定されてカーテンレールの前記キャップを受けるサポートと、前記リターン端部の端面から一側部が挿入されるナットと、前記サポートと前記キャップを下から貫通して前記ナットの他側部にねじ込まれる締結ボルトとからなり、前記締結ボルトを締め付けると、前記リターン端部と前記キャップは前記サポートと前記ナットにより共締めされることを特徴としてなるカーテンレールのリターン端部サポート機構。
【請求項２】
カーテンレールは前後薄幅な平板状本体とその裏面から突出する突条とからなり、ナットは前記突条上に端面から一側部が挿入され、締結ボルトを締め付けると、前記突条は前記サポートと前記ナットにより挟持されることを特徴としてなる請求項１に記載のカーテンレールのリターン端部サポート機構。
【請求項３】
ナットの一側部は最下の突条上に挿入されることを特徴としてなる請求項２に記載のカーテンレールのリターン端部サポート機構。
【発明の詳細な説明】
【技術分野】
【０００１】
本発明は、壁面に固定されてカーテンレールの壁面へ折れ曲がるリターン端部を支持するサポート機構に関する。
【背景技術】
【０００２】
側端部が壁面へ折れ曲がりカーテン両側端部の間隙を封じるリターンスタイルのカーテンは、光漏れ防止と断熱性に優れている。このカーテンを吊るカーテンレールは、切断端部が壁面へ折れ曲がるリターン端部に形成される。このリターン端部は、壁面ブラケットにより支持されるが、従来の壁面ブラケットは、壁面に固定される本体と、リターン端部に内装されるナットと、そのナットに締め込む締結ボルトとからなり、リターン端部にキャップを被せることができないため、カーテンレールの切断端面が露出し、リターン端部の意匠性が劣るという問題がある。
【非特許文献１】２００１年  トーソー株式会社発行  カタログ「カーテンレール」
【発明の開示】
【発明が解決しようとする課題】
【０００３】
本発明は、上記問題を解決するためになされたものであり、その課題は、カーテンレールのキャップを被せたリターン端部を壁面に対して固定することができるサポート機構を提供することである。
【課題を解決するための手段】
【０００４】
前記課題を達成するため、本発明のサポート機構は、カーテンレールの壁面へ折れ曲がるリターン端部と、リターン端部に外嵌されるキャップと、壁面に固定されてカーテンレールのキャップを受けるサポートと、リターン端部の端面から一側部が挿入されるナットと、前記サポートとキャップを下から貫通してナットの他側部にねじ込まれる締結ボルトとからなり、締結ボルトを締め付けると、リターン端部とキャップはサポートとナットにより共締めされることを特徴とする。
【発明の効果】
【０００５】
本発明のサポート機構は、締結ボルトを締め付けると、壁面へ折り返すリターン端部と壁面の交差角度には関係なく、リターン端部とキャップはサポートとナットにより挟持され、リターン端部とキャップはサポートを介して壁面に固定される。従来の壁面ブラケットにより壁面に固定されるリターン端部は、キャップがないためカーテンレールの切断端面が露出し、意匠性が劣る。これに対し、本発明のサポート機構により壁面に固定されるリターン端部は、キャップが切断端面を被覆するから、意匠性が格段に優れる。
【発明を実施するための最良の形態】
【０００６】
リターンスタイルのカーテンを取り付けるカーテンレールとしては、端部を壁面へ折り
返す曲げ加工の容易な前後薄幅な平板状本体を備えるカーテンレールを使用することが有利である。この場合、ナットの一側部は本体の突条上、特に、最下のランナーを支持するランナー用突条上に挿入し、他側部はキャップのナット溝に遊嵌することが好ましい。
【実施例】
【０００７】
本発明の機構を図面に示す実施例に基づいて説明する。図１は実施例のサポート機構を備えるカーテンレールのリターン端部の平面図、図２はサポートの斜視図、図３は図１のＩＩＩ−ＩＩＩ線矢視図、図４は図１のＩＶ−ＩＶ線矢視図、図５はナットの斜視図である。
【０００８】
図１に示すように、カーテンレール１のリターン端部２は、壁面３に対して鋭角で交差する。リターン端部２の端面部分にはキャップ４が外嵌され、リターン端部２はキャップ４と共に壁面３に固定されるサポート５に支持される。サポート５は固定ネジにより壁面３に固定され、リターン端部２はキャップ４と共に締結ボルトによりサポート５に固定される。
【０００９】
図２に示すように、サポート５は、壁面と対接する垂直な固定部６とリターン端部２を受ける水平な支持部７とからなり、固定部６には固定ネジ通し孔８が、支持部７には締結ボルト通し溝９が形成される。
【００１０】
図３及び図４に示すように、カーテンレール１は、左右に延長する前後薄幅で上下広幅の平板状本体１０と、その本体の裏面から突出する４つの突条とからなる。ナット１２の板状の一側部１３は、最下のランナーを支持するランナー用突条１１の上に挿入される。カーテンレールのリターン端部２の端面部分を外嵌するキャップ４は、縦長の直方体であり、カーテンレール側にはリターン端部２の端面部分を内嵌する凹部１５を有する。その凹部の奥にはナット１２の他側部１４を遊嵌するナット溝１６とそのナット溝１６から底面へ抜ける締結ボルト通し孔１７を備える。締結ボルト１８は、頭がサポート５の支持部７の下面に座り、中間がサポート５とキャップ４の締結ボルト通し孔９、１７を貫通し、先端がナット１２の他側部１４にねじ込む。
【００１１】
図５に示すように、ナット１２は、板金製であり、一側部１３はコ字形平板状、他側部１４はネジ管状である。
【００１２】
締結ボルト１８を締め付けると、リターン端部２と壁面３の交差角度には関係なく、リターン端部２の最下突条１１とキャップ４の底部はサポート５とナット１２により挟持され、リターン端部２はサポート５を介して壁面３に固定される。このように、カーテンレール１のリターン端部２は、壁面３に対して任意の角度で折り曲げて固定することができる。カーテンレール１の切断端面はキャップ４により被覆されるため、リターン端部２の外観は良好である。
【図面の簡単な説明】
【００１３】
【図１】実施例のサポート機構を備えるカーテンレールのリターン端部の平面図、
【図２】サポートの斜視図、
【図３】図１のＩＩＩ−ＩＩＩ線矢視図、
【図４】図１のＩＶ−ＩＶ線矢視図、
【図５】ナットの斜視図。
【符号の説明】
【００１４】
１：カーテンレール
２：リターン端部
３：壁面
４：キャップ
５：サポート
６：固定部
７：支持部
８：固定ネジ通し孔
９：締結ボルト通し孔
１０：本体
１１：突条
１２：ナット
１３：一側部
１４：他側部
１５：凹部
１６：ナット溝
１７：締結ボルト通し孔
１８：締結ボルト
【図１】
2006095013.tif 000003
【図２】
2006095013.tif 000004
【図３】
2006095013.tif 000005
【図４】
2006095013.tif 000006
【図５】
2006095013.tif 000007